(57)【要約】      （修正有）【課題】水中において自然に上昇する作用を生じ、大型ポンプを使用する必要がないため、節電と騒音低減の機能を達成する。【解決手段】主に少なくとも１種の異なる密度(比重)の液状油を用い、且つ該各１種の液状油を異なる顔料に混合し、該液状油を水を入れた水槽中に混入すると、密度(比重)の差異により異なる層の状態で水の上方に浮き、多層の異なる色彩の浮油層を呈する。１個以上のポンプは異なる層の浮油層中に延伸し、層液状油は独立した導管により吸入され導管反対端のオイルバブル発生器に輸送される。制御回路はポンプ、電磁バルブ、オイルバブル発生器を制御し、液状油の吸入と放出を制御し、オイルバブル発生器は回転とスイングの状態を呈する。これにより水槽中では多数の異なる色彩で、且つ動き回る下方から上昇するオイルバブルの流れが継続して発生し、こうして高度な面白味と装飾の効果を形成する。【選択図】図１
0003131520.tif 000002
【実用新案登録請求の範囲】
【請求項１】
主に少なくとも１種の異なる密度(比重)の液状油を用い、且つ該各１種の液状油を異なる顔料に混合し、該液状油を水を入れた水槽中に混入し、該液状油の密度(比重)は該水と異なる性質であるため、異なる層の状態で水の上方に浮き、該水槽上方には少なくとも１個のポンプを設置し、且つそれぞれ異なる層の浮油層の液状油中に延伸し、
該水槽底部には少なくとも１個のオイルバブル発生器を設置し、該各オイルバブル発生器と該各ポンプ間はそれぞれ独立した導管により相互に接続し、該各オイルバブル発生器に接続する導管上にはすべて該電磁バルブを設置し、該水槽上方には制御回路を設置し、該ポンプ、該電磁バルブ、該オイルバブル発生器を制御し、
上記設計により、該制御回路はポンプを制御し、異なる層状態の水上方に浮いている液状油をそれぞれ吸入し、該層液状油を独立した導管により吸入し、該導管反対端のオイルバブル発生器に輸送し、循環と放出を行い、該オイルバブル発生器は回転とスイングの状態を生じ、これにより該水槽中では多数の異なる色彩で、且つ動き回る下方から上昇するオイルバブルの流れが継続して発生し、こうして高度な面白味と装飾の効果を形成することを特徴とするオイルバブルを活動させる循環装置。
【請求項２】
請求項１記載のオイルバブルを活動させる循環装置において、前記オイルバブル発生器は底台上に回転可能な上回転体を設置し、該上回転体上の周縁には複数の槽孔を設置し、該各槽孔位置にはそれぞれ上下スイングを呈する噴射ノズルを設置し、且つ該上回転体及び該噴射ノズルの動作は、該底台内に設置するサーボモーターにより駆動されることを特徴とするオイルバブルを活動させる循環装置。
【請求項３】
請求項１記載のオイルバブルを活動させる循環装置において、前記水槽上には音声制御器を設置し、音声を受信することで、該制御回路は該ポンプと該電磁バルブ及び該オイルバブル発生器の動作を制御し、これにより異なるリズムのオイルバブルを生じることを特徴とするオイルバブルを活動させる循環装置。
【請求項４】
請求項１記載のオイルバブルを活動させる循環装置において、前記水槽の上下両側において、必要に応じて各種色彩の投射灯を設置し、多種の色彩の投射光を投射することにより、該水は多種の色彩の変化を生じ、元々は色を持つのみであった液状油は、該異なる色彩の投射光が重なり、異なる色彩の変化を生じることを特徴とするオイルバブルを活動させる循環装置。
【請求項５】
請求項１記載のオイルバブルを活動させる循環装置において、前記水槽の周縁には複数の赤外線センサーを設置し、ハンドヘルド赤外線発射器を該各赤外線センサーに向けて振り動かし、該異なる位置角度の赤外線センサーが受ける赤外線に応じて、該制御回路は該オイルバブル発生器を制御し、異なる動作を生じさせ、これにより異なるリズムの上昇液状油を発生させることを特徴とするオイルバブルを活動させる循環装置。
【請求項６】
主に少なくとも１種の異なる密度(比重)の液状油を用い、且つ該各１種の液状油を異なる顔料に混合し、該液状油を水を入れた水槽中に混入し、該液状油の密度(比重)は該水と異なる性質であるため、異なる層の状態で水の上方に浮き、該水槽上方には少なくとも１個のポンプを設置し、且つ該各ポンプはそれぞれ導管を接続し、該導管はそれぞれ異なる層の浮油層の液状油中に延伸し、該各ポンプの反対側は導管によりそれぞれ該水槽下方に設置する少なくとも１個以上のオイルバブル発生器に接続し、該各オイルバブル発生器と該各ポンプ間の導管上にはすべて電磁バルブを設置し、該水槽下方には制御回路を設置し、該ポンプ、該電磁バルブ、該オイルバブル発生器を制御することを特徴とするオイルバブルを活動させる循環装置。
【考案の詳細な説明】
【技術分野】
【０００１】
本考案は一種のオイルバブルを活動させる循環装置に関する。特に一種の１種以上の密度(比重)の異なる液状油を用い、且つ該各１種の液状油に異なる顔料を混合し、該液状油を水を入れた水槽に混入すると、密度(比重)の違いにより異なる層を呈し水の上方に浮き、ポンプは独立した導管により吸入し、導管の反対端のオイルバブル発生器に輸送し、こうして水槽中では下から上昇する多種の様々な色で、且つ動き回る気泡が継続して生じ、高度な面白味と装飾効果を達成するオイルバブルを活動させる循環装置に係る。
【背景技術】
【０００２】
一般に、水槽中において気泡に変化を生じさせ動き回らせる装置の多くは、比較的大きなポンプを採用し、循環の方式で水中において強大な水流を発生し、水を動かすことで流動気泡を発生させ、続いて多くの角度の噴水口により異なる方向の水流を発生し、異なる変化の流動気泡を発生する。これに多種の色彩の灯光を投射し、流動気泡は多種の色彩の変化を生じ、装飾の目的を達成する。
【０００３】
公知構造には以下の欠点があった。
１．大型のポンプにより強大な水流を発生させ続け、水中で流動する気泡を起こす必要があるため、その消費電力は莫大で且つ騒音も大きい。
２．ポンプは強大な水流を発生させ続けることで、流動する気泡を発生するが、流動する気泡は長くは持続せずすぐに消失してしまうため、持続的観賞効果を達成できず、効果は不良である。
３．気泡そのものの色は水の色と非常に近いため、異なる色彩の灯光を投射することで気泡に様々な色を持たせているが、このような設計では色の変化は平凡で且つ制御が容易でなく、また消費電力も莫大になってしまう。
【考案の開示】
【考案が解決しようとする課題】
【０００４】
本考案は主に異なる密度(比重)の液状油により、水中において自然に上昇する作用を生じ、大型ポンプを使用する必要がないため、節電と騒音低減の機能を達成する。
【０００５】
さらにそれは異なる密度(比重)の液状油を用い、且つ該各１種の液状油を異なる顔料に混合し、オイルバブルは水中で自然に上昇し浮く時、極めて目に鮮やかな多種の色彩を呈し、高度な面白味と装飾効果を達成するオイルバブルを活動させる循環装置を提供する。
【課題を解決するための手段】
【０００６】
請求項１の考案は、主に少なくとも１種の異なる密度(比重)の液状油を用い、且つ該各１種の液状油を異なる顔料に混合し、該液状油を水を入れた水槽中に混入し、該液状油の密度(比重)は該水と異なる性質であるため、異なる層の状態で水の上方に浮き、該水槽上方には少なくとも１個のポンプを設置し、且つそれぞれ異なる層の浮油層の液状油中に延伸し、
該水槽底部には少なくとも１個のオイルバブル発生器を設置し、該各オイルバブル発生器と該各ポンプ間はそれぞれ独立した導管により相互に接続し、該各オイルバブル発生器に接続する導管上にはすべて該電磁バルブを設置し、該水槽上方には制御回路を設置し、該ポンプ、該電磁バルブ、該オイルバブル発生器を制御し、
上記設計により、該制御回路はポンプを制御し、異なる層状態の水上方に浮いている液状油をそれぞれ吸入し、該層液状油を独立した導管により吸入し、該導管反対端のオイルバブル発生器に輸送し、循環と放出を行い、該オイルバブル発生器は回転とスイングの状態を生じ、これにより該水槽中では多数の異なる色彩で、且つ動き回る下方から上昇するオイルバブルの流れが継続して発生し、こうして高度な面白味と装飾の効果を形成することを特徴とするオイルバブルを活動させる循環装置としている。
請求項２の考案は、請求項１記載のオイルバブルを活動させる循環装置において、前記オイルバブル発生器は底台上に回転可能な上回転体を設置し、該上回転体上の周縁には複数の槽孔を設置し、該各槽孔位置にはそれぞれ上下スイングを呈する噴射ノズルを設置し、且つ該上回転体及び該噴射ノズルの動作は、該底台内に設置するサーボモーターにより駆動されることを特徴とするオイルバブルを活動させる循環装置としている。
請求項３の考案は、請求項１記載のオイルバブルを活動させる循環装置において、前記水槽上には音声制御器を設置し、音声を受信することで、該制御回路は該ポンプと該電磁バルブ及び該オイルバブル発生器の動作を制御し、これにより異なるリズムのオイルバブルを生じることを特徴とするオイルバブルを活動させる循環装置としている。
請求項４の考案は、請求項１記載のオイルバブルを活動させる循環装置において、前記水槽の上下両側において、必要に応じて各種色彩の投射灯を設置し、多種の色彩の投射光を投射することにより、該水は多種の色彩の変化を生じ、元々は色を持つのみであった液状油は、該異なる色彩の投射光が重なり、異なる色彩の変化を生じることを特徴とするオイルバブルを活動させる循環装置としている。
請求項５の考案は、請求項１記載のオイルバブルを活動させる循環装置において、前記水槽の周縁には複数の赤外線センサーを設置し、ハンドヘルド赤外線発射器を該各赤外線センサーに向けて振り動かし、該異なる位置角度の赤外線センサーが受ける赤外線に応じて、該制御回路は該オイルバブル発生器を制御し、異なる動作を生じさせ、これにより異なるリズムの上昇液状油を発生させることを特徴とするオイルバブルを活動させる循環装置としている。
請求項６の考案は、主に少なくとも１種の異なる密度(比重)の液状油を用い、且つ該各１種の液状油を異なる顔料に混合し、該液状油を水を入れた水槽中に混入し、該液状油の密度(比重)は該水と異なる性質であるため、異なる層の状態で水の上方に浮き、該水槽上方には少なくとも１個のポンプを設置し、且つ該各ポンプはそれぞれ導管を接続し、該導管はそれぞれ異なる層の浮油層の液状油中に延伸し、該各ポンプの反対側は導管によりそれぞれ該水槽下方に設置する少なくとも１個以上のオイルバブル発生器に接続し、該各オイルバブル発生器と該各ポンプ間の導管上にはすべて電磁バルブを設置し、該水槽下方には制御回路を設置し、該ポンプ、該電磁バルブ、該オイルバブル発生器を制御することを特徴とするオイルバブルを活動させる循環装置としている。
【考案の効果】
【０００７】
本考案のオイルバブルは水中において自然に上昇する時、極めて目に鮮やかな多種の色彩を呈し、高度な面白味と装飾効果を達成し、且つ大型のポンプを使用する必要がないため、節電と騒音低減の機能をも達成する。
【考案を実施するための最良の形態】
【０００８】
図１、２、３、４に示すように、本考案はオイルバブルを動き回らせる循環装置で、主に１種或いは１種以上の異なる密度(比重)の液状油２、３に異なる顔料を混合し、該液状油２、３を水１１を入れた水槽１中に混入する。
該液状油２、３の密度(比重)は該水１１と異なる性質であるため、異なる層の状態で水１１の上方に浮き、多層の異なる色彩の浮油層を呈する。該水槽１上方には１個以上のポンプ２２、３２を設置し、且つそれぞれ異なる層の浮油層の液状油２、３中に延伸する。
該ポンプ２２、３２はそれぞれ該液状油２、３を独立した導管２２１、３２１により吸入し、該導管２２１、３２１反対端のオイルバブル発生器１２に輸送し、該各オイルバブル発生器１２に接続する導管２２１、３２１上にはすべて電磁バルブ２２２、３２２を設置する。
さらに制御回路４により該ポンプ２２、３２、該電磁バルブ２２２、３２２、該オイルバブル発生器１２を制御し、該液状油２、３の吸入循環と放出を制御し、該オイルバブル発生器１２は回転とスイングの状態を生じる。これにより該水槽１中では多数の異なる色彩で、且つ動き回る下方から上昇するオイルバブル２１、３１の流れが継続して発生し、こうして高度な面白味と装飾の効果を形成する。
【０００９】
該オイルバブル発生器１２は底台１２４上に回転する上回転体１２１を設置し、該上回転体１２１上の周縁には複数の槽孔１２２を設置する。該各槽孔１２２位置にはそれぞれ上下スイングを呈する噴射ノズル１２３を設置し、且つ該上回転体１２１及び該噴射ノズル１２３の動作は、該底台１２４内に設置するサーボモーター(図示なし)により駆動され、こうして該上回転体１２１と該噴射ノズル１２３は多方向へのスイングを一緒に生じる。
且つ本考案は該水槽１上方に音声制御器５を設置し、音声を受信することで、該制御回路４は該ポンプ２２、３２と該電磁バルブ２２２、３２２及び該オイルバブル発生器１２の動作を制御し、これにより異なるリズムのオイルバブル２１、３１を生じる。  
また該水槽１の上下両側において、必要に応じて各種色彩の投射灯１３を設置し、多種の色彩の投射光を投射することにより、該水１１は多種の色彩の変化を生じ、元々は色を持つのみであった液状油２、３は、該異なる色彩の投射光が重なり、異なる色彩の変化を生じる(図５参照)。
さらに該水槽１の周縁には複数の赤外線センサー６を設置し、ハンドヘルド赤外線発射器を該各赤外線センサー６に向けて振り動かし、該異なる位置角度の赤外線センサー６が受ける赤外線に応じて、該制御回路４は該オイルバブル発生器１２を制御し、異なる動作を生じさせ、これにより異なるリズムの上昇液状油２、３を発生させる(図６参照)。
【００１０】
さらに図７に示すように、本考案の別種の実施例では、該制御回路４は該水槽１下方に設置し、同時に該ポンプ２２、３２を該水槽１下方の導管２２１、３２１上に設置する。さらに該各導管２２１、３２１の末端はそれぞれ該水槽１上方の各層の液状油２、３位置に延伸する。こうして該各液状油２、３を該各導管２２１、３２１により下方へと向けて吸入し、該各オイルバブル発生器１２により排出する。
【図面の簡単な説明】
【００１１】
【図１】本考案最適実施例の断面図である。
【図２】本考案が多数の異なる色彩の上昇オイルバブルを発生する実施例断面図である。
【図３】本考案オイルバブル発生器の立体図である。
【図４】本考案オイルバブル発生器の俯瞰図である。
【図５】本考案の側面断面図である。
【図６】本考案が水槽周縁に複数の赤外線センサーを設置する実施例の断面図である。
【図７】本考案がポンプを水槽下方に設置する実施例断面図である。
【符号の説明】
【００１２】
１  水槽
１１  水
１２  オイルバブル発生器
１３  投射灯
１２１  上回転体
１２２  槽孔
１２３  噴射ノズル
１２４  底台
２、３  液状油
２１、３１  オイルバブル
２２、３２  ポンプ
２２１、３２１  導管
２２２、３２２  電磁バルブ
４  制御回路
６  赤外線センサー
【図１】
0003131520.tif 000003
【図２】
0003131520.tif 000004
【図３】
0003131520.tif 000005
【図４】
0003131520.tif 000006
【図５】
0003131520.tif 000007
【図６】
0003131520.tif 000008
【図７】
0003131520.tif 000009
【手続補正書】
【提出日】平成19年1月11日(2007.1.11)
【手続補正１】
【補正対象書類名】実用新案登録請求の範囲
【補正対象項目名】全文
【補正方法】変更
【補正の内容】
【実用新案登録請求の範囲】
【請求項１】
主に少なくとも１種の異なる密度(比重)の液状油、例えば、シリコンオイル、グリセリンなどを用い、且つ該各１種の液状油を異なる顔料、例えば、油絵顔料、ドーラン染料などに混合し、該液状油を水を入れた水槽中に混入し、該液状油の密度(比重)は該水と異なる性質であるため、異なる層の状態で水の上方に浮き、該水槽上方には少なくとも１個のポンプを設置し、且つそれぞれ異なる層の浮油層の液状油中に延伸し、
該水槽底部には少なくとも１個のオイルバブル発生器を設置し、該各オイルバブル発生器と該各ポンプ間はそれぞれ独立した導管により相互に接続し、該各オイルバブル発生器に接続する導管上にはすべて該電磁バルブを設置し、該水槽上方には制御回路を設置し、該ポンプ、該電磁バルブ、該オイルバブル発生器を制御し、
上記設計により、該制御回路はポンプを制御し、異なる層状態の水上方に浮いている液状油をそれぞれ吸入し、該層液状油を独立した導管により吸入し、該導管反対端のオイルバブル発生器に輸送し、循環と放出を行い、該オイルバブル発生器は回転とスイングの状態を生じ、これにより該水槽中では多数の異なる色彩で、且つ動き回る下方から上昇するオイルバブルの流れが継続して発生し、こうして高度な面白味と装飾の効果を形成することを特徴とするオイルバブルを活動させる循環装置。
【請求項２】
請求項１記載のオイルバブルを活動させる循環装置において、前記オイルバブル発生器は底台上に回転可能な上回転体を設置し、該上回転体上の周縁には複数の槽孔を設置し、該各槽孔位置にはそれぞれ上下スイングを呈する噴射ノズルを設置し、且つ該上回転体及び該噴射ノズルの動作は、該底台内に設置するサーボモーターにより駆動されることを特徴とするオイルバブルを活動させる循環装置。
【請求項３】
請求項１記載のオイルバブルを活動させる循環装置において、前記水槽上には音声制御器を設置し、音声を受信することで、該制御回路は該ポンプと該電磁バルブ及び該オイルバブル発生器の動作を制御し、これにより異なるリズムのオイルバブルを生じることを特徴とするオイルバブルを活動させる循環装置。
【請求項４】
請求項１記載のオイルバブルを活動させる循環装置において、前記水槽の上下両側において、必要に応じて各種色彩の投射灯を設置し、多種の色彩の投射光を投射することにより、該水は多種の色彩の変化を生じ、元々は色を持つのみであった液状油は、該異なる色彩の投射光が重なり、異なる色彩の変化を生じることを特徴とするオイルバブルを活動させる循環装置。
【請求項５】
請求項１記載のオイルバブルを活動させる循環装置において、前記水槽の周縁には複数の赤外線センサーを設置し、ハンドヘルド赤外線発射器を該各赤外線センサーに向けて振り動かし、該異なる位置角度の赤外線センサーが受ける赤外線に応じて、該制御回路は該オイルバブル発生器を制御し、異なる動作を生じさせ、これにより異なるリズムの上昇液状油を発生させることを特徴とするオイルバブルを活動させる循環装置。
【請求項６】
主に少なくとも１種の異なる密度(比重)の液状油、例えば、シリコンオイル、グリセリンなどを用い、且つ該各１種の液状油を異なる顔料、例えば、油絵顔料、ドーラン染料などに混合し、該液状油を水を入れた水槽中に混入し、該液状油の密度(比重)は該水と異なる性質であるため、異なる層の状態で水の上方に浮き、該水槽上方には少なくとも１個のポンプを設置し、且つ該各ポンプはそれぞれ導管を接続し、該導管はそれぞれ異なる層の浮油層の液状油中に延伸し、該各ポンプの反対側は導管によりそれぞれ該水槽下方に設置する少なくとも１個以上のオイルバブル発生器に接続し、該各オイルバブル発生器と該各ポンプ間の導管上にはすべて電磁バルブを設置し、該水槽下方には制御回路を設置し、該ポンプ、該電磁バルブ、該オイルバブル発生器を制御することを特徴とするオイルバブルを活動させる循環装置。
【手続補正２】
【補正対象書類名】明細書
【補正対象項目名】０００６
【補正方法】変更
【補正の内容】
【０００６】
請求項１の考案は、主に少なくとも１種の異なる密度(比重)の液状油、例えば、シリコンオイル、グリセリンなどを用い、且つ該各１種の液状油を異なる顔料、例えば、油絵顔料、ドーラン染料などに混合し、該液状油を水を入れた水槽中に混入し、該液状油の密度(比重)は該水と異なる性質であるため、異なる層の状態で水の上方に浮き、該水槽上方には少なくとも１個のポンプを設置し、且つそれぞれ異なる層の浮油層の液状油中に延伸し、
該水槽底部には少なくとも１個のオイルバブル発生器を設置し、該各オイルバブル発生器と該各ポンプ間はそれぞれ独立した導管により相互に接続し、該各オイルバブル発生器に接続する導管上にはすべて該電磁バルブを設置し、該水槽上方には制御回路を設置し、該ポンプ、該電磁バルブ、該オイルバブル発生器を制御し、
上記設計により、該制御回路はポンプを制御し、異なる層状態の水上方に浮いている液状油をそれぞれ吸入し、該層液状油を独立した導管により吸入し、該導管反対端のオイルバブル発生器に輸送し、循環と放出を行い、該オイルバブル発生器は回転とスイングの状態を生じ、これにより該水槽中では多数の異なる色彩で、且つ動き回る下方から上昇するオイルバブルの流れが継続して発生し、こうして高度な面白味と装飾の効果を形成することを特徴とするオイルバブルを活動させる循環装置としている。
請求項２の考案は、請求項１記載のオイルバブルを活動させる循環装置において、前記オイルバブル発生器は底台上に回転可能な上回転体を設置し、該上回転体上の周縁には複数の槽孔を設置し、該各槽孔位置にはそれぞれ上下スイングを呈する噴射ノズルを設置し、且つ該上回転体及び該噴射ノズルの動作は、該底台内に設置するサーボモーターにより駆動されることを特徴とするオイルバブルを活動させる循環装置としている。
請求項３の考案は、請求項１記載のオイルバブルを活動させる循環装置において、前記水槽上には音声制御器を設置し、音声を受信することで、該制御回路は該ポンプと該電磁バルブ及び該オイルバブル発生器の動作を制御し、これにより異なるリズムのオイルバブルを生じることを特徴とするオイルバブルを活動させる循環装置としている。
請求項４の考案は、請求項１記載のオイルバブルを活動させる循環装置において、前記水槽の上下両側において、必要に応じて各種色彩の投射灯を設置し、多種の色彩の投射光を投射することにより、該水は多種の色彩の変化を生じ、元々は色を持つのみであった液状油は、該異なる色彩の投射光が重なり、異なる色彩の変化を生じることを特徴とするオイルバブルを活動させる循環装置としている。
請求項５の考案は、請求項１記載のオイルバブルを活動させる循環装置において、前記水槽の周縁には複数の赤外線センサーを設置し、ハンドヘルド赤外線発射器を該各赤外線センサーに向けて振り動かし、該異なる位置角度の赤外線センサーが受ける赤外線に応じて、該制御回路は該オイルバブル発生器を制御し、異なる動作を生じさせ、これにより異なるリズムの上昇液状油を発生させることを特徴とするオイルバブルを活動させる循環装置としている。
請求項６の考案は、主に少なくとも１種の異なる密度(比重)の液状油、例えば、シリコンオイル、グリセリンなどを用い、且つ該各１種の液状油を異なる顔料、例えば、油絵顔料、ドーラン染料などに混合し、該液状油を水を入れた水槽中に混入し、該液状油の密度(比重)は該水と異なる性質であるため、異なる層の状態で水の上方に浮き、該水槽上方には少なくとも１個のポンプを設置し、且つ該各ポンプはそれぞれ導管を接続し、該導管はそれぞれ異なる層の浮油層の液状油中に延伸し、該各ポンプの反対側は導管によりそれぞれ該水槽下方に設置する少なくとも１個以上のオイルバブル発生器に接続し、該各オイルバブル発生器と該各ポンプ間の導管上にはすべて電磁バルブを設置し、該水槽下方には制御回路を設置し、該ポンプ、該電磁バルブ、該オイルバブル発生器を制御することを特徴とするオイルバブルを活動させる循環装置としている。
【手続補正書】
【提出日】平成19年2月27日(2007.2.27)
【手続補正１】
【補正対象書類名】実用新案登録請求の範囲
【補正対象項目名】全文
【補正方法】変更
【補正の内容】
【実用新案登録請求の範囲】
【請求項１】
主に水に対して異なる密度(比重)の液状油、例えば、シリコンオイル、グリセリンなどを用い、且つ該液状油を異なる顔料、例えば、油絵顔料、ドーラン染料などに混合し、該液状油を水を入れた水槽中に混入し、該液状油の密度(比重)は該水と異なる性質であるため、異なる層の状態で水の上方に浮き、該水槽上方には少なくとも１個のポンプを設置し、且つそれぞれ異なる層の浮油層の液状油中に延伸し、
該水槽底部には少なくとも１個のオイルバブル発生器を設置し、該各オイルバブル発生器と該各ポンプ間はそれぞれ独立した導管により相互に接続し、該各オイルバブル発生器に接続する導管上にはすべて該電磁バルブを設置し、該水槽上方には制御回路を設置し、該ポンプ、該電磁バルブ、該オイルバブル発生器を制御し、
上記設計により、該制御回路はポンプを制御し、異なる層状態の水上方に浮いている液状油をそれぞれ吸入し、該層液状油を独立した導管により吸入し、該導管反対端のオイルバブル発生器に輸送し、循環と放出を行い、該オイルバブル発生器は回転とスイングの状態を生じ、これにより該水槽中では多数の異なる色彩で、且つ動き回る下方から上昇するオイルバブルの流れが継続して発生し、こうして高度な面白味と装飾の効果を形成することを特徴とするオイルバブルを活動させる循環装置。
【請求項２】
請求項１記載のオイルバブルを活動させる循環装置において、前記オイルバブル発生器は底台上に回転可能な上回転体を設置し、該上回転体上の周縁には複数の槽孔を設置し、該各槽孔位置にはそれぞれ上下スイングを呈する噴射ノズルを設置し、且つ該上回転体及び該噴射ノズルの動作は、該底台内に設置するサーボモーターにより駆動されることを特徴とするオイルバブルを活動させる循環装置。
【請求項３】
請求項１記載のオイルバブルを活動させる循環装置において、前記水槽上には音声制御器を設置し、音声を受信することで、該制御回路は該ポンプと該電磁バルブ及び該オイルバブル発生器の動作を制御し、これにより異なるリズムのオイルバブルを生じることを特徴とするオイルバブルを活動させる循環装置。
【請求項４】
請求項１記載のオイルバブルを活動させる循環装置において、前記水槽の上下両側において、必要に応じて各種色彩の投射灯を設置し、多種の色彩の投射光を投射することにより、該水は多種の色彩の変化を生じ、元々は色を持つのみであった液状油は、該異なる色彩の投射光が重なり、異なる色彩の変化を生じることを特徴とするオイルバブルを活動させる循環装置。
【請求項５】
請求項１記載のオイルバブルを活動させる循環装置において、前記水槽の周縁には複数の赤外線センサーを設置し、ハンドヘルド赤外線発射器を該各赤外線センサーに向けて振り動かし、該異なる位置角度の赤外線センサーが受ける赤外線に応じて、該制御回路は該オイルバブル発生器を制御し、異なる動作を生じさせ、これにより異なるリズムの上昇液状油を発生させることを特徴とするオイルバブルを活動させる循環装置。
【請求項６】
主に水に対して異なる密度(比重)の液状油、例えば、シリコンオイル、グリセリンなどを用い、且つ該液状油を異なる顔料、例えば、油絵顔料、ドーラン染料などに混合し、該液状油を水を入れた水槽中に混入し、該液状油の密度(比重)は該水と異なる性質であるため、異なる層の状態で水の上方に浮き、該水槽上方には少なくとも１個のポンプを設置し、且つ該各ポンプはそれぞれ導管を接続し、該導管はそれぞれ異なる層の浮油層の液状油中に延伸し、該各ポンプの反対側は導管によりそれぞれ該水槽下方に設置する少なくとも１個以上のオイルバブル発生器に接続し、該各オイルバブル発生器と該各ポンプ間の導管上にはすべて電磁バルブを設置し、該水槽下方には制御回路を設置し、該ポンプ、該電磁バルブ、該オイルバブル発生器を制御することを特徴とするオイルバブルを活動させる循環装置。
【手続補正２】
【補正対象書類名】明細書
【補正対象項目名】０００６
【補正方法】変更
【補正の内容】
【０００６】
請求項１の考案は、主に水に対して異なる密度(比重)の液状油、例えば、シリコンオイル、グリセリンなどを用い、且つ該液状油を異なる顔料、例えば、油絵顔料、ドーラン染料などに混合し、該液状油を水を入れた水槽中に混入し、該液状油の密度(比重)は該水と異なる性質であるため、異なる層の状態で水の上方に浮き、該水槽上方には少なくとも１個のポンプを設置し、且つそれぞれ異なる層の浮油層の液状油中に延伸し、
該水槽底部には少なくとも１個のオイルバブル発生器を設置し、該各オイルバブル発生器と該各ポンプ間はそれぞれ独立した導管により相互に接続し、該各オイルバブル発生器に接続する導管上にはすべて該電磁バルブを設置し、該水槽上方には制御回路を設置し、該ポンプ、該電磁バルブ、該オイルバブル発生器を制御し、
上記設計により、該制御回路はポンプを制御し、異なる層状態の水上方に浮いている液状油をそれぞれ吸入し、該層液状油を独立した導管により吸入し、該導管反対端のオイルバブル発生器に輸送し、循環と放出を行い、該オイルバブル発生器は回転とスイングの状態を生じ、これにより該水槽中では多数の異なる色彩で、且つ動き回る下方から上昇するオイルバブルの流れが継続して発生し、こうして高度な面白味と装飾の効果を形成することを特徴とするオイルバブルを活動させる循環装置としている。
請求項２の考案は、請求項１記載のオイルバブルを活動させる循環装置において、前記オイルバブル発生器は底台上に回転可能な上回転体を設置し、該上回転体上の周縁には複数の槽孔を設置し、該各槽孔位置にはそれぞれ上下スイングを呈する噴射ノズルを設置し、且つ該上回転体及び該噴射ノズルの動作は、該底台内に設置するサーボモーターにより駆動されることを特徴とするオイルバブルを活動させる循環装置としている。
請求項３の考案は、請求項１記載のオイルバブルを活動させる循環装置において、前記水槽上には音声制御器を設置し、音声を受信することで、該制御回路は該ポンプと該電磁バルブ及び該オイルバブル発生器の動作を制御し、これにより異なるリズムのオイルバブルを生じることを特徴とするオイルバブルを活動させる循環装置としている。
請求項４の考案は、請求項１記載のオイルバブルを活動させる循環装置において、前記水槽の上下両側において、必要に応じて各種色彩の投射灯を設置し、多種の色彩の投射光を投射することにより、該水は多種の色彩の変化を生じ、元々は色を持つのみであった液状油は、該異なる色彩の投射光が重なり、異なる色彩の変化を生じることを特徴とするオイルバブルを活動させる循環装置としている。
請求項５の考案は、請求項１記載のオイルバブルを活動させる循環装置において、前記水槽の周縁には複数の赤外線センサーを設置し、ハンドヘルド赤外線発射器を該各赤外線センサーに向けて振り動かし、該異なる位置角度の赤外線センサーが受ける赤外線に応じて、該制御回路は該オイルバブル発生器を制御し、異なる動作を生じさせ、これにより異なるリズムの上昇液状油を発生させることを特徴とするオイルバブルを活動させる循環装置としている。
請求項６の考案は、主に水に対して異なる密度(比重)の液状油、例えば、シリコンオイル、グリセリンなどを用い、且つ該液状油を異なる顔料、例えば、油絵顔料、ドーラン染料などに混合し、該液状油を水を入れた水槽中に混入し、該液状油の密度(比重)は該水と異なる性質であるため、異なる層の状態で水の上方に浮き、該水槽上方には少なくとも１個のポンプを設置し、且つ該各ポンプはそれぞれ導管を接続し、該導管はそれぞれ異なる層の浮油層の液状油中に延伸し、該各ポンプの反対側は導管によりそれぞれ該水槽下方に設置する少なくとも１個以上のオイルバブル発生器に接続し、該各オイルバブル発生器と該各ポンプ間の導管上にはすべて電磁バルブを設置し、該水槽下方には制御回路を設置し、該ポンプ、該電磁バルブ、該オイルバブル発生器を制御することを特徴とするオイルバブルを活動させる循環装置としている。